(57)【要約】【課題】  ケーブルの架設延線作業中でもケーブルが擦れて破損することがなく、軽量かつ簡単な構造で、地上から容易に操作可能であり、現場での作業性を向上したカーブ用ケーブルガイドを提供する。【解決手段】  ケーブルを挿通する樹脂材料で形成された筒体と、当該筒体に装着される円弧形状のガイド部材と、上記筒体と上記ガイド部材を固定する固定部材と、上記ガイド部材に連結され、上記筒体を所定位置に取り付けるための取付部材とを有するケーブルの架設延線のために用いるカーブ用ケーブルガイドであって、上記筒体は、長手方向に沿って側面が切断された切断部を備え、上記ガイド部材は、上記切断部に沿って装着され、上記筒体内に係止する係止部を備えた。【選択図】        図１
2008043121.tif 000002
【特許請求の範囲】
【請求項１】
ケーブルを挿通する樹脂材料で形成された筒体と、
当該筒体に装着される円弧形状のガイド部材と、
上記筒体と上記ガイド部材を固定する固定部材と、
上記ガイド部材に連結され、上記筒体を所定位置に取り付けるための取付部材とを有するケーブルの架設延線のために用いるカーブ用ケーブルガイドであって、
上記筒体は、長手方向に沿って側面が切断された切断部を備え、
上記ガイド部材は、上記切断部に沿って装着され、上記筒体内に係止する係止部を備えたことを特徴とするカーブ用ケーブルガイド。
【請求項２】
上記筒体は可撓性を有し、側面が波形状に形成された硬質ポリエチレン管であることを特徴とする請求項１に記載のカーブ用ケーブルガイド。
【請求項３】
上記ガイド部材は、断面Ｈ形状のＨ形鋼であることを特徴とする請求項１又は２に記載のカーブ用ケーブルガイド。
【請求項４】
上記ガイド部材の端部には、幅方向に広がった膨出部が備わり、当該膨出部の幅は、上記筒体内を挿通するケーブルの径より大きいことを特徴とする請求項１〜３のいずれかに記載のカーブ用ケーブルガイド
【発明の詳細な説明】
【技術分野】
【０００１】
本発明は、主に光ファイバーケーブル等の架設延線の際に使用するカーブ用ケーブルガイドに関するものである。
【背景技術】
【０００２】
ケーブルを所定角度のカーブを描きながら架線する際に使用する多輪式カーブ金車が特許文献１に記載されている。このカーブ金車は、複数のローラに沿ってケーブルを導くものである。しかし、このカーブ金車は、複数のローラや、これを取付けるための部材が必要であり、部品点数が多く、構造が複雑で生産性が悪いものである。また、これらのローラを支持する部材は金属からなるため重量が重く、取扱いに不便である。
【０００３】
さらに、ケーブルを円滑に通過させるため、ローラの中央部は凹形状あるいはＶ字状のケーブルをガイドするための溝が形成される。しかし、従来のカーブ用ケーブルガイドは重いため、ケーブルの張力方向が変化してもケーブルガイド自体はこれに引っ張られない。すなわち、特許文献１に記載のカーブ金車は、電柱等に吊架されるため、延線ケーブルの延線方向に追従して傾斜する。しかし、金車自体が重いと、追従しない。これは、特に光ケーブルの場合、光ケーブルの重量が軽いため、顕著に現れる。したがって、ケーブルがローラ上を移動して引っ張られるため、ケーブルがローラの溝を通過せずにその外側の端部又はローラ支持部材付近を通過することがある。このため、ローラ端部や支持部材でケーブルが擦れてしまう問題があった。
【０００４】
【特許文献１】実公平４−３１７６６号公報
【発明の開示】
【発明が解決しようとする課題】
【０００５】
本発明は上記従来技術を考慮したものであって、ケーブルの架設延線作業中でもケーブルが擦れて破損することがなく、軽量かつ簡単な構造で、地上から容易に操作可能であり、現場での作業性を向上したカーブ用ケーブルガイドの提供を目的とするものである。
【課題を解決するための手段】
【０００６】
前記目的を達成するため、請求項１の発明では、ケーブルを挿通する樹脂材料で形成された筒体と、当該筒体に装着される円弧形状のガイド部材と、上記筒体と上記ガイド部材を固定する固定部材と、上記ガイド部材に連結され、上記筒体を所定位置に取り付けるための取付部材とを有するケーブルの架設延線のために用いるカーブ用ケーブルガイドであって、上記筒体は、長手方向に沿って側面が切断された切断部を備え、上記ガイド部材は、上記切断部に沿って装着され、上記筒体内に係止する係止部を備えたことを特徴とするカーブ用ケーブルガイドを提供する。
【０００７】
請求項２の発明では、請求項１の発明において、上記筒体は可撓性を有し、側面が波形状に形成された硬質ポリエチレン管であることを特徴としている。
【０００８】
請求項３の発明では、請求項１又は２の発明において、上記ガイド部材は、断面Ｈ形状のＨ形鋼であることを特徴としている。
【０００９】
請求弧４の発明では、請求項１〜３のいずれかに記載の発明において、上記ガイド部材の端部には、幅方向に広がった膨出部が備わり、当該膨出部の幅は、上記筒体内を挿通するケーブルの径より大きいことを特徴としている。
【発明の効果】
【００１０】
請求項１の発明によれば、筒体が樹脂材料で形成されるので、非常に軽量になり、取り扱い性が向上する。したがって、ケーブルの張力方向に追従して筒体の開口端部がケーブルの引っ張り方向を向くので、常に筒体のカーブに沿って筒体内の所定位置をケーブルが通過するため、誤って所定位置から外れて通過してケーブルが擦れて破損することを防止できる。また、ケーブルの張力方向に追従しなくても、ケーブルを受ける部材が筒体であり、かつ、筒体が樹脂材料であるため、筒体のどこでも受けることができ、ケーブルを傷つけることはない。また、円弧状のガイド部材が筒体の切断部に沿って固定部材により確実に装着されるので、ケーブルガイドのカーブ形状を確実に保持することができる。また、ガイド部材には筒体内に係止する係止部が備わるため、筒体に確実に装着することができる。
【００１１】
また、請求項２の発明によれば、筒体の側面が波形状に形成されるので、ケーブルが通過する際の筒体内壁との接触面積が減少する。したがって、ケーブルが筒体内壁により擦れることを抑制できる。また、筒体を適度な可撓性を備えた硬質ポリエチレン管で形成することにより、架設延線作業に耐えうる十分な強度を備え、取扱い性に非常に優れたカーブ用ケーブルガイドを得ることができる。
【００１２】
また、請求項３の発明によれば、ガイド部材を断面Ｈ形状のＨ形鋼で形成することにより、Ｈ形鋼の下片を用いて筒体に確実に係止することができる。
【００１３】
また、請求項４の発明によれば、ガイド部材の端部には、膨出部が備わり、当該膨出部の幅は、上記筒体内を挿通するケーブルの径より大きいため、筒体をガイド部材に沿って引き抜く際に、膨出部が筒体の切断部を広げながら引き抜かれるため、この広がった部分からケーブルを取り出すことができ、ケーブルが傷つくことを防止できる。
【発明を実施するための最良の形態】
【００１４】
本発明は、ケーブルを挿通する樹脂材料で形成された筒体と、当該筒体に装着される円弧形状のガイド部材と、上記筒体と上記ガイド部材を固定する固定部材と、上記ガイド部材に連結され、上記筒体を所定位置に取り付けるための取り付け部材とを有するケーブルの架設延線のために用いるカーブ用ケーブルガイドであって、上記筒体は、長手方向に沿って側面が切断された切断部を備え、上記ガイド部材は、上記切断部に沿って装着され、上記筒体内に係止する係止部を備えたことを特徴とするカーブ用ケーブルガイドである。
【実施例１】
【００１５】
図１は本発明に係るカーブ用ケーブルガイドの概略構成図であり、図２（Ａ）は取付金具の上面図、（Ｂ）は図１のＡ−Ａ断面図である。また、図３は図１のＢ−Ｂ断面図である。なお、図２では図１に示されないガイド用ケーブルガイドに取付金具を取り付けた状態を示す。
【００１６】
図示したように、本発明に係るカーブ用ケーブルガイド１は、筒体２、ガイド部材３、固定部材４、及び取付部材５で構成される。筒体２は両端部が貫通する円筒体であり、長手方向に沿ってその側面が切断され、切断部６が形成される。ガイド部材３は、断面Ｈ形状のＨ形鋼であり、下片３ａ、中片３ｂ、上片３ｃで構成される。ガイド部材３は円弧形状であり、切断部６で中片３ｂを挟持するように筒体２に装着される。固定部材４は、この筒体２及びガイド部材３の外側から両者を固定する。取付部材５はガイド部材３の中央部上側に備わる。
【００１７】
筒体２は、樹脂材料からなる。したがって、従来の金属製のものに比べ、軽量であり、取り扱い性が向上する。また、筒体２は軟質又は硬質のいずれの樹脂材料であっても、所定の可撓性を備えれば、ガイド部材３により円弧形状を形成することができるが、予め筒体２自体を湾曲させて形成してもよい。なお、硬質樹脂材料であれば、カーブ形状を確実に保持できるので好ましい。特に、硬質ポリエチレン管からなるエフレックス（登録商標）を用いれば、後述するガイド部材３が切断部６から外れることを抑制でき、架設延線作業に耐えうる十分な強度を備え、取扱い性に非常に優れているため好ましい。また、筒体２の側面は波形状であるため、ケーブルが通過する際の筒体内壁との接触面積が減少し、ケーブルが筒体内壁により擦れることを抑制できる。また、ケーブルを案内するためのローラを必要としないので、部品点数が減少し、構造が簡単で生産性が向上する。
【００１８】
ガイド部材３は、上述したように、筒体２の切断部６に沿って装着される。架設延線作業中は、上方向、すなわち上片３ｃに備わる取付部材５の方向に引っ張られ、一方筒体２はケーブルの延線張力によって下方に引っ張られるため、下片３ａが筒体２の内壁の上側に係止する係止部となり、ガイド部材３は確実に筒体２に係止される。なお、ガイド部材３は、筒体２の内壁に係止して切断部６から抜けない断面構造の係止部を備えていれば、Ｈ形鋼に限られるものではない。ガイド部材３の端部には、円柱部材２１が溶着されている。この円柱部材２１の作用については、後述する。
【００１９】
固定部材４は、雄雌両用の面ファスナーであり、筒体２とガイド部材３を外側から覆って両者を固定する。筒体２とガイド部材３は、複数個所（図では２箇所）で固定部材４により固定される。固定部材４は、一方の端部をガイド部材３の上片３ｃにネジ７で固定される。この固定部材４は、面ファスナーに限らず、筒体２とガイド部材を把持できるものであればどのような部材を用いてもよい。さらに、当該固定部材４は、ガイド部材３にその一端を固定しているが、必ずしもガイド部材３に固定していなくてもよい。
【００２０】
取付部材５には、ボルト１０により、リンク片８を介してリンク片９が取付けられる。リンク片９にはフック１２が取付けられる。ケーブルの架設延線作業は、このフック１２をメッセンジャーワイヤー等に引っ掛けて行われる。フック１２の側面には、ボルト１１を支点に回動可能なフックアーム１３が取付けられる。このフックアーム１３は、フック１２の開口部を閉鎖自在である。また、フックアーム１３は一方の端部に吊り環１４を備える。吊り環１４とフック１２はバネ部材１５を介して連結される。このバネ部材１５の付勢により、フック１２が開放したままになることを常時防止できる。これにより、上方に架設されているメッセンジャーワイヤー１６にフック１２を引っ掛けた状態で、誤ってメッセンジャーワイヤー１６からフック１２が外れることを防止できる。なお、図では上述したメッセンジャーワイヤー１６に取付ける構造を示したが、本発明の取付部材５は、これに限定されるものではない。また、カーブ用ケーブルガイド１が取付けられるのは、メッセンジャーワイヤー１６に限らず、電柱自体等でもよい。
【００２１】
図４は本発明に係る別のカーブ用ケーブルガイドの概略構成図である。
図示したように、取付部材５をコ字状にすることにより、筒体２とガイド部材（図示省略）を中央部で固定部材４により固定できる。筒体２の端部、及び固定部材４にはロープ等の紐部材１７が取付けられる。この紐部材１７により、上方のメッセンジャーワイヤーに吊り下げられている状態でも、地上から固定部材４を外すことができ、さらに、筒体２をガイド部材３に沿って引き抜くことができる。紐部材１７は、例えば図示したように、リング１９を介して筒体２に固定される。その他の構成、作用、効果は図１と同様である。
【００２２】
上述したカーブ用ケーブルガイドを用いて架設延線作業をする場合、以下のような手順となる。
延線すべきケーブルを、予め筒体２内に通す。このとき、筒体２の端部から挿通してもよいが、切断部６から入れ込めば、ケーブルが長いときにケーブルの途中部分を入れられるので便利である。次に、ガイド部材３を切断部６に沿って筒体２に装着する。次に、固定部材４により、筒体２とガイド部材３の外側から両者を固定する。
【００２３】
この後、カーブ用ケーブルガイド１を上方に架設されたメッセンジャーワイヤーに吊り下げる。これは、架設メッセンジャーワイヤーに届く程度の長さを持つ竿部材（図示省略）の先端に吊り環１４を引っ掛け、これを持ち上げる。すると、吊り環１４が上方に上がるため、バネ部材１５の力に抗してフックアーム１３が上がり、フック１２の開口部が開放する。この開放したフック１２を架設メッセンジャーワイヤーに引っ掛け、竿部材を吊り環１４から外すと、バネ部材１５により吊り環１４が下がり、フック１２がフックアーム１３により閉じられる。これにより、カーブ用ケーブルガイド１は上方の架設メッセンジャーワイヤーに吊り下げられる。
【００２４】
この後、ケーブルの架設延線作業を行う。このとき、筒体２内をケーブルが通過するが、筒体２は軽量であるため、ケーブルの張力方向に追従して自在に動く。したがって、筒体２の開口端部もケーブルの引っ張り方向を向くので、常に筒体のカーブに沿って筒体内の所定位置をケーブルが通過する。また、ケーブルの延線方向に筒体が追従して傾斜しなくても、ケーブルは筒体内の任意箇所を通過してケーブルが擦れて破損することを防止できる。また、誤って所定位置から外れて通過しても、筒体２が樹脂材料であるため、ケーブルを傷つけることはない。
【００２５】
架設延線作業が終了すると、固定部材４を取り外す。この後、筒体２をガイド部材３から取り外す。このとき、上述した紐部材１７を用いて固定部材４及び筒体２を地上から取り外す。さらに、延線したケーブルを切断部６を介して筒体２内から取り外す。なお、上方で取り外し作業をしてもよい。次に、上記竿部材により吊り環１４を引き上げてフックアームを上げ、横に引っ張ってフック１２を解放して、取付部材５とともにガイド部材３をメッセンジャーワイヤーから取り外す。これにより、延線したケーブルのみを上方に残し、カーブ用ケーブルガイド１は回収できる。この作業は、すべて地上で容易に行うことができるため、取り扱い性に優れ、作業性が向上する。
【００２６】
図５は、本発明に係るカーブ用ケーブルガイドが適用される例を示す概略図である。また、図６は、本発明に係るカーブ用ケーブルガイドが適用される別の例を示す概略図である。
図５（Ａ）は、ケーブル２０を電柱１８の下方に降ろすときを示し、図５（Ｂ）は、ケーブル２０に高低差をつけたときを示す。また、図５（Ｃ）は上面図であり、電柱１８に沿ってケーブル２０を曲げたときを示す。いずれの場合においても、ケーブル２０がカーブを描く部位にカーブ用ケーブルガイド１を設ける。また、図６（Ａ）は、メッセンジャーワイヤー１６が十文字状に交差している場合にケーブルガイド１を取付けた状態を示し、図６（Ｂ）は、メッセンジャーワイヤー１６がＴ字状に形成されている場合にケーブルガイド１を取付けた状態を示す。
【００２７】
図７及び図８は筒体をガイド部材に沿って引き抜くときの状態を順番に示した概略構成図である。なお、図７、図８において、（Ａ）は断面図であり、（Ｂ）は筒体と円柱部材の作用を示す概略構成図である。
図７（Ａ）に示すように、ケーブルガイド１が上方のメッセンジャーワイヤーに取付けられた状態では、筒体２内に光ファイバー等のケーブル２０が挿通している。図７（Ｂ）に示すように、筒体２の端部の切断部６は、略Ｖ字状に切欠かれている。この切欠き部分に、ガイド部材３の中片３ｂの端部に溶着された円柱部材２１が配設される。延線作業が終了すると、図８（Ａ）に示すように、筒体２は下方（矢印Ｄ方向）に引っ張られ、ガイド部材３から引き抜かれる。この引き抜き作業は、上述したように、紐部材１７（図４参照）により下方から行われる。筒体２が引き抜かれるとともに、図８（Ｂ）に示すように、円柱部材２１が切断部６を広げるため、この広がった部分からケーブル２０が取り出せる。したがって、ケーブル２０を切断部６で傷つけることなく筒体２内から取り出すことができる。このような効果を得るために、円柱部材２１の径は、ケーブル２０の径より大きいことが好ましい。
【００２８】
なお、この円柱部材２１は、円柱状に限らず、ガイド部材３の中片３ｂ端部に備わり、その幅がケーブル２０より広い膨出部であれば、どのような形状のものを用いてもよい。
【産業上の利用可能性】
【００２９】
本発明は、カーブ用ケーブルガイドとして種々のケーブルに適用できる。
【図面の簡単な説明】
【００３０】
【図１】本発明に係るカーブ用ケーブルガイドの概略構成図である。
【図２】（Ａ）は取付金具の上面図、（Ｂ）は図１のＡ−Ａ断面図である。
【図３】図１のＢ−Ｂ断面図である。
【図４】本発明に係る別のカーブ用ケーブルガイドの概略構成図である。
【図５】本発明に係るカーブ用ケーブルガイドが適用される例を示す概略図である。
【図６】本発明に係るカーブ用ケーブルガイドが適用される別の例を示す概略図である。
【図７】筒体をガイド部材に沿って引き抜くときの状態を順番に示した概略構成図である。
【図８】筒体をガイド部材に沿って引き抜くときの状態を順番に示した概略構成図である。
【符号の説明】
【００３１】
１：カーブ用ケーブルガイド、２：筒体、３：ガイド部材、３ａ：上片、３ｂ：中片、３ｃ：下片、４：固定部材、５：取付部材、６：切断部、７：ネジ、８：リンク片、９：リンク片、１０：ボルト、１１：ボルト、１２：フック、１３：フックアーム、１４：吊り環、１５：バネ部材、１６：メッセンジャーワイヤー、１７：紐部材、１８：電柱、１９：リング、２０：ケーブル、２１：円柱部材
【図１】
2008043121.tif 000003
【図２】
2008043121.tif 000004
【図３】
2008043121.tif 000005
【図４】
2008043121.tif 000006
【図５】
2008043121.tif 000007
【図６】
2008043121.tif 000008
【図７】
2008043121.tif 000009
【図８】
2008043121.tif 000010